(57)【特許請求の範囲】
【請求項１】
ドライブプレートと、ドリブンプレートと、両者を接合または離脱可能にする摩擦板手段であって、第一の摩擦板ユニット及び第二の摩擦板ユニットを含む摩擦板手段と、を含み、
締結手段をさらに含み、前記締結手段は、選択的に単独で前記第一の摩擦板ユニット、または前記第一の摩擦板ユニットと前記第二の摩擦板ユニットの組み合わせにより、前記ドライブプレートと前記ドリブンプレートを接合または離脱可能にするように設けられており、
前記第一の摩擦板ユニットは少なくとも一対の互いに貼合可能な第一の外摩擦板及び第一の内摩擦板を含み、ここで、前記第一の外摩擦板は前記ドリブンプレートと同期して回動可能であり、前記第一の内摩擦板は前記ドライブプレートと同期して回動可能であり、
前記第二の摩擦板ユニットは前記第一の摩擦板ユニットのうち、前記第二の摩擦板ユニットに近い側の第一の内摩擦板と互いに貼合可能なベース外摩擦板を１つ含み、前記ベース外摩擦板は前記ドリブンプレートと同期して回動可能であり、
前記第二の摩擦板ユニットは、前記ベース外摩擦板と前記締結手段との間に設けられた少なくとも一対の互いに貼合可能な第二の外摩擦板及び第二の内摩擦板をさらに含み、前記第二の外摩擦板は前記ドリブンプレートと同期して回動可能であり、前記第二の内摩擦板は前記ドライブプレートと同期して回動可能であることを特徴とするクラッチ。
【請求項２】
前記第一の摩擦板ユニットは少なくとも一対の互いに貼合可能な第一の外摩擦板及び第一の内摩擦板を含み、前記第一の外摩擦板は前記ドライブプレートと同期して回動可能であり、ここで、前記第一の内摩擦板は前記ドリブンプレートと同期して回動可能であることを特徴とする請求項１に記載のクラッチ。
【請求項３】
前記クラッチは、前記ドライブプレートに固定接続または一体成形のスリーブを含み、前記締結手段は、前記スリーブの軸方向に沿って移動可能でありながら、前記スリーブと同期して回動するアウターハブ及び前記アウターハブに設けられたスプリングユニットを含み、
ここで、前記アウターハブは、前記スリーブの軸方向に沿って前記第一の摩擦板ユニットに近接する方向に移動可能であり、前記スプリングユニットを押圧することで前記第一の摩擦板ユニットの第一の外摩擦板と第一の内摩擦板を接合させ、及び
前記第一の摩擦板ユニットの第一の外摩擦板と第一の内摩擦板が接合されたうえ、前記アウターハブはスリーブの軸方向に沿って続けて前記第一の摩擦板ユニットに近接する方向に移動可能であり、前記スプリングユニットを押圧することで前記第二の摩擦板ユニットのうち前記ベース外摩擦板と前記第一の摩擦板ユニットを接合させることを特徴とする請求項１に記載のクラッチ。
【請求項４】
前記スプリングユニットは、圧縮付勢された第一のスプリング及び第二のスプリングを含み、前記アウターハブは、フランジ部分とボス部分を含み、前記第一のスプリングは前記ボス部分と前記ドライブプレートとの間に設けられ、前記第一の内摩擦板は前記ボス部分に外装され、前記ボス部分にはストッパ構造が設けられ、前記ストッパ構造は、前記ベース外摩擦板に近隣する第一の内摩擦板の、前記ベース外摩擦板の反対側に設けられ、前記第二のスプリングは前記フランジ部分と前記ベース外摩擦板に近隣する第一の内摩擦板との間の設けられることで、前記ベース外摩擦板に近隣する第一の内摩擦板を前記ストッパ構造に当接させ、
ここで、前記アウターハブが前記第一の摩擦板ユニットに近接して移動するとき、前記第一のスプリングはさらに圧縮されることで、前記第一の外摩擦板と前記第一の内摩擦板を接合させ、
且つ、前記第二のスプリングの付勢力は前記第一の摩擦板ユニットの第一の外摩擦板と第一の内摩擦板の接合に必要な締結力よりも大きく、前記第一の外摩擦板と前記第一の内摩擦板が接合されたうえ、前記アウターハブが前記第一の摩擦板ユニットに近接して移動し続けるとき、前記第二のスプリングはさらに圧縮されることで、前記フランジ部分に前記ベース外摩擦板を押圧させるとともに、これによって前記ベース外摩擦板と前記ベース外摩擦板に近隣する第一の内摩擦板を接合させることを特徴とする請求項３に記載のクラッチ。
【請求項５】
前記クラッチは、前記ドライブプレートに固定接続または一体成形のスリーブを含み、前記締結手段は、前記スリーブの軸方向に沿って移動可能でありながら、前記スリーブと同期して回動するアウターハブ及び前記アウターハブに設けられたスプリングユニットを含み、
ここで、前記アウターハブは、前記スリーブの軸方向に沿って前記第一の摩擦板ユニットに近接する方向に移動可能であり、前記スプリングユニットを押圧することで前記第一の摩擦板ユニットの第一の外摩擦板と第一の内摩擦板を接合させ、及び
前記第一の摩擦板ユニットの第一の外摩擦板と第一の内摩擦板が接合されたうえ、前記アウターハブはスリーブの軸方向に沿って続けて前記第一の摩擦板ユニットに近接する方向に移動可能であり、前記スプリングユニットを押圧することで前記第二の摩擦板ユニットのうち前記ベース外摩擦板と前記第一の摩擦板ユニットを接合させることを特徴とする請求項１に記載のクラッチ。
【請求項６】
前記スプリングユニットは、圧縮付勢された第一のスプリング及び第二のスプリングを含み、前記アウターハブは、フランジ部分とボス部分を含み、前記第一のスプリングは前記ボス部分と前記ドライブプレートとの間に設けられ、前記第一の内摩擦板は前記ボス部分に外装され、前記ボス部分にはストッパ構造が設けられ、前記ストッパ構造は、前記ベース外摩擦板に近隣する第一の内摩擦板の、前記ベース外摩擦板の反対側に設けられ、前記第二のスプリングは前記フランジ部分と前記ベース外摩擦板に近隣する第一の内摩擦板との間の設けられることで、前記ベース外摩擦板に近隣する第一の内摩擦板を前記ストッパ構造に当接させ、
ここで、前記アウターハブが前記第一の摩擦板ユニットに近接して移動するとき、前記第一のスプリングはさらに圧縮されることで、前記第一の外摩擦板と前記第一の内摩擦板を接合させ、
且つ、前記第二のスプリングの付勢力は前記第一の摩擦板ユニットの第一の外摩擦板と第一の内摩擦板の接合に必要な締結力よりも大きく、前記第一の外摩擦板と前記第一の内摩擦板が接合されたうえ、前記アウターハブが前記第一の摩擦板ユニットに近接して移動し続けるとき、前記第二のスプリングはさらに圧縮されることで、前記フランジ部分に前記第二の摩擦板ユニットを押圧させるとともに、これによって前記ベース外摩擦板と前記ベース外摩擦板に近隣する第一の内摩擦板を接合させることを特徴とする請求項５に記載のクラッチ。
【請求項７】
前記スプリングユニットは、複数本の第一のスプリング及び複数本の第二のスプリングを含み、前記複数本の第一のスプリング及び前記複数本の第二のスプリングは全て前記アウターハブの周方向に沿って設けられることを特徴とする請求項４または６に記載のクラッチ。
【請求項８】
前記締結手段はインナーハブをさらに含み、前記インナーハブが前記スリーブに接続され、前記インナーハブと前記アウターハブとの間に突合せ構造が設けられ、前記突合せ構造は、前記インナーハブの外面に設けられた複数のボス及び前記アウターハブの内面に設けられるとともに、前記ボスにマッチングする複数の凹溝を含むことを特徴とする請求項３または５に記載のクラッチ。
【請求項９】
前記ボスのそれぞれは前記スリーブの軸方向に沿って前記第二の摩擦板ユニットに近い側から反対側に向かって前記インナーハブの周方向に拡張することを特徴とする請求項８に記載のクラッチ。
【請求項１０】
請求項１〜９のいずれか１項に記載のクラッチを含むことを特徴とする自動車。
【発明の詳細な説明】
【技術分野】
【０００１】
本発明はクラッチの技術分野に属し、具体的にクラッチ及び該クラッチを備える自動車を提供している。
【背景技術】
【０００２】
クラッチは自動車で動力接合と離脱のための部品である。
【０００３】
自動車工業の発展に伴い、自動車の走行の平滑性にますます高い要求が出され、自動車のスムーズな発進とシフト時の衝撃の低減を保証するように、変速機のシフト過程の動力伝達が連続していることが求められる。
【０００４】
多板式クラッチは、体積が小さく、伝達トルクが大きいなどのメリットがあるため、広く応用されている。ただし、現在の多板式クラッチは、動力接合を行う過程で、大きなトルクを伝達しても小さなトルクを伝達しても、複数の摩擦板はすべてトルク伝達に関与しなければならない。このように、自動車の異なる走行状況では、クラッチのすべての摩擦板が作動に関与し、自動車の異なる状況に応じてクラッチの最適な性能を発揮するように調整することはできない。対応して、本分野では、上記の課題を解決するために、新しい技術方案が求められている。
【発明の概要】
【０００５】
従来の技術における上記課題を解決するために、即ち、従来の多板式クラッチは自動車の異なる情況に応じて適切な数の摩擦板を選択して作動に関与して最適な性能を発揮することができないという課題を解決するために、本発明は、ドライブプレートと、ドリブンプレートと、両者を接合または離脱可能にする摩擦板手段であって、第一の摩擦板ユニット及び第二の摩擦板ユニットを含む摩擦板手段と、を含み、締結手段をさらに含み、前記締結手段は、選択的に単独で前記第一の摩擦板ユニット、または前記第一の摩擦板ユニットと前記第二の摩擦板ユニットの組み合わせにより、前記ドライブプレートと前記ドリブンプレートを接合または離脱可能にするように設けられているクラッチを提供している。
【０００６】
上記クラッチの好ましい技術方案において、前記第一の摩擦板ユニットは少なくとも一対の互いに貼合可能な第一の外摩擦板及び第一の内摩擦板を含み、ここで、前記第一の外摩擦板は前記ドリブンプレートと同期して回動可能であり、前記第一の内摩擦板は前記ドライブプレートと同期して回動可能である。
【０００７】
上記クラッチの好ましい技術方案において、前記第一の摩擦板ユニットは少なくとも一対の互いに貼合可能な第一の外摩擦板及び第一の内摩擦板を含み、ここで、前記第一の外摩擦板は前記ドライブプレートと同期して回動可能であり、前記第一の内摩擦板は前記ドリブンプレートと同期して回動可能である。
【０００８】
上記クラッチの好ましい技術方案において、前記第二の摩擦板ユニットは前記第一の摩擦板ユニットのうち、前記第二の摩擦板ユニットに近い側の第一の内摩擦板と互いに貼合可能なベース外摩擦板を１つ含み、前記ベース外摩擦板は前記ドリブンプレートと同期して回動可能である。
【０００９】
上記クラッチの好ましい技術方案において、前記クラッチは、前記ドライブプレートに固定接続または一体成形のスリーブを含み、前記締結手段は、前記スリーブの軸方向に沿って移動可能でありながら、前記スリーブと同期して回動するアウターハブ及び前記アウターハブに設けられたスプリングユニットを含み、ここで、前記アウターハブは、前記スリーブの軸方向に沿って前記第一の摩擦板ユニットに近接する方向に移動可能であり、前記スプリングユニットを押圧することで前記第一の摩擦板ユニットの第一の外摩擦板と第一の内摩擦板を接合させ、及び前記第一の摩擦板ユニットの第一の外摩擦板と第一の内摩擦板が接合されたうえ、前記アウターハブはスリーブの軸方向に沿って続けて前記第一の摩擦板ユニットに近接する方向に移動可能であり、前記スプリングユニットを押圧することで前記第二の摩擦板ユニットのうち前記ベース外摩擦板と前記第一の摩擦板ユニットを接合させる。
【００１０】
上記クラッチの好ましい技術方案において、前記スプリングユニットは、圧縮付勢された第一のスプリング及び第二のスプリングを含み、前記アウターハブは、フランジ部分とボス部分を含み、前記第一のスプリングは前記ボス部分と前記ドライブプレートとの間に設けられ、前記第一の内摩擦板は前記ボス部分に外装され、前記ボス部分にはストッパ構造が設けられ、前記ストッパ構造は、前記ベース摩擦板に近隣する第一の内摩擦板の、前記ベース摩擦板の反対側に設けられ、前記第二のスプリングは前記フランジ部分と前記ベース摩擦板に近隣する第一の内摩擦板との間の設けられることで、前記ベース摩擦板に近隣する第一の内摩擦板を前記ストッパ構造に当接させ、ここで、前記アウターハブが前記第一の摩擦板ユニットに近接して移動するとき、前記第一のスプリングはさらに圧縮されることで、前記第一の外摩擦板と前記第一の内摩擦板を接合させ、且つ、前記第二のスプリングの付勢力は前記第一の摩擦板ユニットの第一の外摩擦板と第一の内摩擦板の接合に必要な締結力よりも大きく、前記第一の外摩擦板と前記第二の内摩擦板が接合されたうえ、前記アウターハブが前記第一の摩擦板ユニットに近接して移動し続けるとき、前記第二のスプリングはさらに圧縮されることで、前記フランジ部分に前記ベース摩擦板を押圧させるとともに、これによって前記ベース外摩擦板と前記ベース摩擦板に近隣する第一の内摩擦板を接合させる。
【００１１】
上記クラッチの好ましい技術方案において、前記第二の摩擦板ユニットは、前記ベース外摩擦板と前記締結手段との間に設けられた少なくとも一対の互いに貼合可能な第二の外摩擦板及び第二の内摩擦板をさらに含み、前記第二の外摩擦板は前記ドリブンプレートと同期して回動可能であり、前記第二の内摩擦板は前記ドライブプレートと同期して回動可能である。
【００１２】
上記クラッチの好ましい技術方案において、前記クラッチは、前記ドライブプレートに固定接続または一体成形のスリーブを含み、前記締結手段は、前記スリーブの軸方向に沿って移動可能でありながら、前記スリーブと同期して回動するアウターハブ及び前記アウターハブに設けられたスプリングユニットを含み、ここで、前記アウターハブは、前記スリーブの軸方向に沿って前記第一の摩擦板ユニットに近接する方向に移動可能であり、前記スプリングユニットを押圧することで前記第一の摩擦板ユニットの第一の外摩擦板と第一の内摩擦板を接合させ、及び前記第一の摩擦板ユニットの第一の外摩擦板と第一の内摩擦板が接合されたうえ、前記アウターハブはスリーブの軸方向に沿って続けて前記第一の摩擦板ユニットに近接する方向に移動可能であり、前記スプリングユニットを押圧することで前記第二の摩擦板ユニットのうち前記ベース外摩擦板と前記第一の摩擦板ユニットを接合させる。
【００１３】
上記クラッチの好ましい技術方案において、前記スプリングユニットは、圧縮付勢された第一のスプリング及び第二のスプリングを含み、前記アウターハブは、フランジ部分とボス部分を含み、前記第一のスプリングは前記ボス部分と前記ドライブプレートとの間に設けられ、前記第一の内摩擦板は前記ボス部分に外装され、前記ボス部分にはストッパ構造が設けられ、前記ストッパ構造は、前記ベース摩擦板に近隣する第一の内摩擦板の、前記ベース摩擦板の反対側に設けられ、前記第二のスプリングは前記フランジ部分と前記ベース摩擦板に近隣する第一の内摩擦板との間の設けられることで、前記ベース摩擦板に近隣する第一の内摩擦板を前記ストッパ構造に当接させ、ここで、前記アウターハブが前記第一の摩擦板ユニットに近接して移動するとき、前記第一のスプリングはさらに圧縮されることで、前記第一の外摩擦板と前記第一の内摩擦板を接合させ、且つ、前記第二のスプリングの付勢力は前記第一の摩擦板ユニットの第一の外摩擦板と第一の内摩擦板の接合に必要な締結力よりも大きく、前記第一の外摩擦板と前記第二の内摩擦板が接合されたうえ、前記アウターハブが前記第一の摩擦板ユニットに近接して移動し続けるとき、前記第二のスプリングはさらに圧縮されることで、前記フランジ部分に前記第二の摩擦板ユニットを押圧させるとともに、これによって前記ベース外摩擦板と前記ベース摩擦板に近隣する第一の内摩擦板を接合させる。
【００１４】
上記クラッチの好ましい技術方案において、前記スプリングユニットは、複数本の第一のスプリング及び複数本の第二のスプリングを含み、前記複数本の第一のスプリング及び前記複数本の第二のスプリングは全て前記アウターハブの周方向に沿って設けられる。
【００１５】
上記クラッチの好ましい技術方案において、前記締結手段はインナーハブをさらに含み、前記インナーハブが前記スリーブに接続され、前記インナーハブと前記アウターハブとの間に突合せ構造が設けられ、前記突合せ構造は、前記インナーハブの外面に設けられた複数のボス及び前記アウターハブの内面に設けられるとともに、前記ボスにマッチングする複数の凹溝を含む。
【００１６】
上記クラッチの好ましい技術方案において、前記ボスのそれぞれは前記スリーブの軸方向に沿って前記第二の摩擦板ユニットに近い側から反対側に向かって拡張する。
【００１７】
また、本発明は、上記クラッチの好ましい技術方案のいずれか１項に記載のクラッチを含む自動車をさらに提供している。
【００１８】
当業者が理解できるように、本発明の技術方案において、クラッチは、ドライブプレートと、ドリブンプレートと、ドライブプレートとドリブンプレートを接合または離脱可能にする摩擦板手段であって、第一の摩擦板ユニット及び第二の摩擦板ユニットを含む摩擦板手段と、を含み、締結手段をさらに含み、締結手段は、選択的に単独で第一の摩擦板ユニット、または第一の摩擦板ユニットと第二の摩擦板ユニットの組み合わせにより、ドライブプレートとドリブンプレートを接合または離脱可能にするように設けられている。このような設置により、小さなトルクを伝達する必要があるとき、第一の摩擦板ユニットだけで、ドライブプレートとドリブンプレートを接合させればよく、大きなトルクを伝達する必要があるとき、第一の摩擦板ユニットと第二の摩擦板ユニットとの組合せにより、ドライブプレートとドリブンプレートを接合させ、大きなトルクの伝達を実現することができ、トルク伝達のニーズを満すだけではなく、同時に適切な数の摩擦板を選択して作動に関与し、クラッチが最適な状態に達することができ、従来の多板式クラッチが自動車の異なる状況に応じて適切な数の摩擦板を選択して作動に関与してクラッチに最適な性能を発揮させることができないという課題を解決した。
【００１９】
本発明の好ましい技術方案において、クラッチは、ドライブプレートに固定接続または一体成形のスリーブを含み、締結手段は、スリーブの軸方向に沿って移動可能でありながら、スリーブと同期して回動するアウターハブ及びアウターハブに設けられたスプリングユニットを含み、第一の摩擦板ユニットは少なくとも一対の互いに貼合可能な第一の外摩擦板及び第一の内摩擦板を含み、第一の外摩擦板はドリブンプレートと同期して回動可能であり、第一の内摩擦板はドライブプレートと同期して回動可能であり、第二の摩擦板ユニットは第一の摩擦板ユニットのうち、第二の摩擦板ユニットに近い側の第一の内摩擦板と互いに貼合可能なベース外摩擦板を１つ含み、ベース外摩擦板はドリブンプレートと同期して回動可能である。ここで、アウターハブは、スリーブの軸方向に沿って前記第一の摩擦板ユニットに近接する方向に移動可能であり、スプリングユニットを押圧することで第一の摩擦板ユニットの第一の外摩擦板と第一の内摩擦板を接合させ、及び第一の摩擦板ユニットの第一の外摩擦板と第一の内摩擦板が接合されたうえ、アウターハブはスリーブの軸方向に沿って続けて第一の摩擦板ユニットに近接する方向に移動可能であり、スプリングユニットを押圧することで第二の摩擦板ユニットのうちベース外摩擦板と第一の摩擦板ユニットを接合させる。
【図面の簡単な説明】
【００２０】
以下、図面を参照しながら湿式クラッチを組み合わせて本発明の好ましい実施の形態を記載する。図中、
【００２１】
【図１】本発明の一実施例に係る湿式クラッチの分解立体図である。
【００２２】
【図２】本発明の一実施例に係る湿式クラッチにおける締結手段の構成模式図である。
【００２３】
【図３】本発明の一実施例に係る湿式クラッチにおけるアウターハブの構成模式図である。
【００２４】
【図４】本発明の一実施例に係る湿式クラッチの非接合状態での状態模式図である。
【００２５】
【図５】本発明の一実施例に係る湿式クラッチは第一の摩擦板ユニットが接合した状態での状態模式図である。
【００２６】
【図６】本発明の一実施例に係る湿式クラッチは第一の摩擦板ユニットと第二の摩擦板ユニットが共同で接合した状態での状態模式図である。
【００２７】
【図７】本発明の一実施例に係る湿式クラッチのボス作用角度と伝達トルクとの関係図である。
【符号の説明】
【００２８】
図面参照符号リスト
１、ドライブプレート、２、ドリブンプレート、３、摩擦板手段、３１、第一の摩擦板ユニット、３１１、第一の内摩擦板、３１２、第一の外摩擦板、３２、第二の摩擦板ユニット、３２１、ベース外摩擦板、４、締結手段、４１、アウターハブ、４１１、第一の取付部位、４１２、第二の取付部位、４２、インナーハブ、５、スリーブ、６、締結軸受、７、スプリングユニット、７１、第一のスプリング、７２、第二のスプリング、８、ストッパ構造、９、突合せ構造、９１、ボス、９２、凹溝。
【発明を実施するための形態】
【００２９】
当業者であれば、本実施の形態は本発明の技術的原理を説明するためのものであり、本発明の特許請求の範囲を規制するためのものではないことを理解すべきである。例えば、本発明では、湿式クラッチを例として紹介して説明するが、当業者であれば、必要に応じてそれを調整することができ、具体的な応用場面に適用するために、例えば、湿式クラッチは乾式クラッチなどでもよい。調整後の技術方案は依然と本発明の特許請求の範囲に入ることが明らかである。
【００３０】
なお、本発明の記載において、用語「上」、「下」、「左」、「右」、などの方向や位置関係を示す用語は、図面に示された方向や位置関係に基づくものであり、これは記載の便宜上のものであり、装置や部材が特定の方位を有し、特定の方位で構成され、操作されなければならないことを指示または暗示するものではないため、本発明に対する規制と理解してはいけない。さらに、「第一の」、「第二の」という用語は、記載の目的でのみ使用され、相対的な重要性を指示または暗示すると理解してはいけない。
【００３１】
また、なお、本発明の記載では、特に明確な規定と限定がない限り、「固定」、「設置」、「接続」という用語は広く理解すべきであり、例えば、固定的な接続でもよく、着脱可能な接続でもよく、機械的な接続でもよく、電気的な接続でもよく、直接的な接続でもよく、中間媒体を介して間接的な接続でもよい。当業者にとって、具体的な情況に応じて本発明における上記の用語の具体的な意味を理解することができる。
【００３２】
図１と図４を参照して、図１は、本発明の一実施例に係る湿式クラッチの分解立体図であり、図４は、本発明の一実施例に係る湿式クラッチの非接合状態での状態模式図である。
【００３３】
図１と図４に示すように、湿式クラッチは、主に、ドライブプレート１と、ドリブンプレート２と、ドライブプレート１とドリブンプレート２を接合または離脱可能にする摩擦板手段３とを含み、摩擦板手段３は、第一の摩擦板ユニット３１と第二の摩擦板ユニット３２を含む。湿式クラッチは、単独で第一の摩擦板ユニット３１によりドライブプレート１とドリブンプレート２とを接合または離脱可能な締結手段４をさらに含み、締結手段４も、第一の摩擦板ユニット３１と第二の摩擦板ユニット３１３２の組み合わせによりドライブプレート１とドリブンプレート２とを接合または離脱することができる。
【００３４】
このような設置により、小さなトルクを伝達する必要がある場合、第一の摩擦板ユニット３１だけで、ドライブプレート１とドリブンプレート２を接合させれば、トルクの伝達を満たすだけではなく、摩擦損失が発生する摩擦板の数を減らし、従来の多板式クラッチが自動車の状況に応じて適切な数の摩擦板を選択して作動に関与してクラッチに最適な性能を発揮させることができないという課題を解決した。大きなトルクを伝達する必要がある場合、第一の摩擦板ユニット３１と第二の摩擦板ユニット３２の組み合わせで、ドライブプレート１とドリブンプレート２を接合させると、大きなトルクの伝達を実現できる。
【００３５】
図２と図３を参照しながら、引き続き図１と図４を参照して、図２は、本発明の一実施例に係る湿式クラッチにおける締結手段の構成模式図であり、図３は本発明の一実施例に係る湿式クラッチにおけるアウターハブの構成模式図である。
【００３６】
図１〜図４に示すように、具体的には、クラッチは入力軸に接続するためのスリーブ５を含み、ドライブプレート１とスリーブ５は一体成形されている。ドリブンプレート２は、ドライブプレート２の右側に設けられるとともに、出力軸に固定して接続されている。締結手段４はスプラインでスリーブ５と同期して回動するように接続され、締結手段４とドライブプレート１との間に摩擦板手段３が設けられ、摩擦板手段３は左側の第二の摩擦板ユニット３２と右側の第一の摩擦板ユニット３１を含み、第一の摩擦板ユニット３１は互いに貼合可能な第一の内摩擦板３１１と第一の外摩擦板３１２を４対含み、第二の摩擦板ユニット３２は、第一の摩擦板ユニット３１のうち、第二の摩擦板ユニット３２に近い側（すなわち、第二組の摩擦板ユニット３２の左側）の第一の内摩擦板３１１と互いに貼合可能なベース外摩擦板３２１を１つ含む。第一の外摩擦板３１２、ベース外摩擦板３２１は共に、ドリブンプレート２に噛み合うように接続されることで、ドリブンプレート２と同期して回動しながら軸方向に沿ってドリブンプレート２に対して移動可能であり、第一の内摩擦板３１１は、ドライブプレート１に噛み合うように接続されることで、ドライブプレート１と同期して回動しながら軸方向に沿ってドライブプレート１に対して移動可能である。
【００３７】
締結手段４は、スリーブ５の軸方向に移動可能でありながら、スリーブ５と同期して回動するアウターハブ４１を含む。アウターハブ４１の左側には、締結軸受６が設けられている。アウターハブ４１にはスプリングユニット７が設けられ、スプリングユニット７は圧縮付勢された第一のスプリング７１と第二のスプリング７２を含み、第二のスプリング７２の付勢力は第一の摩擦板ユニット３１の第一の外摩擦板３１２と第一の内摩擦板３１１との結合に必要な付勢力よりも大きい。アウターハブ４１は、フランジ部分とフランジ部分で右に延びるボス部分とを含み、ボス部分は筒状構造で、ボス部分の外面で軸方向に沿って延びる凹溝が周方向に沿って複数分布し、第一の内摩擦板３１１の内輪には、ボス部分の外面の凹溝にマッチングする複数の突起片が周方向に沿って形成され、第一の内摩擦板３１１における複数の突起片は、アウターハブ４１のボス部分外面における複数の凹溝と嵌合することによって、第一の内摩擦板３１１は、アウターハブ４１と同期して回動できるとともに、アウターハブ４１に対して軸方向に沿って移動可能であるが、アウターハブ４１は、スリーブ５の軸方向に沿って移動できるとともに、スリーブ５と同期して回動できることによって、第一の内摩擦板３１１は、ドライブプレート１と同期して回動できるとともに、ドライブプレート１に対して軸方向に沿って移動可能である。ドリブンプレート２は、プレート本体及びプレート本体の外縁が軸方向に沿って延びる筒状フランジを含み、ドリブンプレート２の筒状フランジの内面には、軸方向に沿って延びる複数の凹溝が周方向に沿って形成され、第一の外摩擦板３１２、ベース外摩擦板３２１の外輪には、ドリブンプレート２の筒状フランジの内面における複数の凹溝にマッチングする複数の突起片が周方向に沿って形成され、第一の外摩擦板３１２、ベース外摩擦板３２１における複数の突起片と、ドリブンプレート２の筒状フランジ内面における複数の凹溝とが嵌合することによって、第一の外摩擦板３１２、ベース外摩擦板３２１は、ドリブンプレート２と同期して回動できるとともに、軸方向に沿ってドリブンプレート２に対して移動できる。
【００３８】
アウターハブ４１のボス部分には、アウターハブ４１の周方向に沿って３つの第一の取付部位４１１が均等に設けられ、アウターハブ４１のフランジ部分には、アウターハブ４１の周方向に沿って１８つの第二の取付部位４１２が均等に設けられ、３つの第一のスプリング７１が第一の取付部位４１１に取り付けられ、１８つの第二のスプリング７２が第二の取付部位４１２に取り付けらる。また、アウターハブ４１には、ストッパ構造８がさらに設けられている。組み立てられた状態で、第一のスプリング７１の左右両端はそれぞれ、アウターハブ４１とドライブプレート１に当接し、第二のスプリング７２の左右両端はそれぞれ、アウターハブ４１と第一の摩擦板ユニット３１のうち最も左側の第一の内摩擦板３１１に当接すると、第一の摩擦板ユニット３１のうち最も左側の第一の内摩擦板３１１をストッパ構造８に締結する。
【００３９】
当業者に理解されているように、ドライブプレート１も溶接、螺着、または係止によって、スリーブ５に固定されてもよく、第一の摩擦板ユニット３１は、１対、２対、３対、５対またはそれ以上の対の互いに貼合可能な第一の内摩擦板３１１と第一の外摩擦板３１２を含んでもよい。また、第一のスプリング７１と第二のスプリング７２は他の数に設けられてもよく、例えば、第一のスプリング７１は１つ、４つ、５つ、６つなど設けられてもよく、第二のスプリング７２は１つ、１０つ、１２つ、１４つなど設けられてもよい。第二のスプリング７２の数は第一のスプリング７１の数よりも多ければ、締結手段４と第二の摩擦板ユニット３２との間の受力をより均一にするとともに、単一の第二のスプリング７２の受力を小さくし、第二のスプリング７２の使用寿命を延ばすことができる。さらに、上記で第一の外摩擦板３１２、ベース外摩擦板３２１はドリブンプレート２と同期して回動するとともに、軸方向に沿ってドリブンプレート２に対して移動できるのを実現する具体的な構成と、第一の内摩擦板３１１はドライブプレート１と同期して回動するとともに、軸方向に沿ってドライブプレート１に対して移動できるのを実現する具体的な構成とは、選択可能な実施の形態に過ぎず、当業者であれば、具体的な応用場面に適応するように必要に応じて調整することができ、例えば、ドリブンプレート２の筒状フランジの内面と第一の外摩擦板３１２、ベース外摩擦板３２１の外輪には全てマッチングする少なくとも一つの凹溝が形成され、対応する２つの凹連は接続キーを介して、ドリブンプレート２と第一の外摩擦板３１２、ベース外摩擦板３２１との接続を実現し、アウターハブ４１のフランジ部分の外面と第一の内摩擦板３１１の内輪には全てマッチングする少なくとも一つの凹溝が形成され、対応する２つの凹溝は接続キーを介して第一の内摩擦板３１１とアウターハブ４１のフランジ部分との接続を実現する。
【００４０】
図５と図６を参照しながら、引き続き図４を参照して、図５は、本発明の一実施例に係る湿式クラッチは第一の摩擦板ユニットが接合した状態での状態模式図である。図６は、本発明の一実施例に係る湿式クラッチは第一の摩擦板ユニットと第二の摩擦板ユニットが共同で接合した状態での状態模式図である。
【００４１】
図４に示すように、締結軸受６はアウターハブ４１に右向きの圧力を印加しない場合、第一のスプリング７１と第二のスプリング７２の作用で、第一の内摩擦板３１１、第一の外摩擦板３１２、ベース外摩擦板３２１、アウターハブ４１とドライブプレート１の隣接する２つの間に一定の隙間が存在することによって、ドライブプレート１とドリブンプレート２とを離脱状態にする。このとき、ドライブシャフトはスリーブ５を回動させるように駆動し、スリーブ５がドライブプレート１、第一の内摩擦板３１１、アウターハブ４１を回動させるように連動する一方、ドリブンプレート２、第一の外摩擦板３１２とベース外摩擦板３２１は静止状態を保持する。
【００４２】
締結軸受６はアウターハブ４１に一定の圧力を印加すると、第一のスプリング７１がさらに圧縮され、アウターハブ４１は右に移動する。第二のスプリング７２の付勢力は、第一の摩擦板ユニット３１の接合に必要な締結力よりも大きいため、アウターハブ４１が右に移動する過程で、第二のスプリング７２は第一の摩擦板ユニット３１のうち最も左側の第一の内摩擦板３１１をストッパ構造８にしっかりと押圧するとともに、第一の摩擦板ユニット３１のうち最も左側の第一の内摩擦板３１１にその右側の第一の外摩擦板３１２と接触させながら右に移動させるように押動させ、最終的に第一の摩擦板ユニット３１のうち第一の内摩擦板３１１と第一の外摩擦板３１２を互いに緊密に貼合させ、第一の摩擦板ユニット３１のうち最も右側の第一の外摩擦板３１２がドライブプレート１と締結され、図５に示す状態に達する。このとき、ベース外摩擦板３２１とアウターハブ４１及び第一の摩擦板ユニット３１のうち最も左側の第一の内摩擦板３１１の間のみには一定の隙間がある。
【００４３】
締結軸受６はアウターハブ４１にさらに大きな圧力を印加すると、第一のスプリング７１と第二のスプリング７２がともに圧縮され続け、アウターハブ４１は右に移動する。アウターハブ４１のフランジ部分が先にベース外摩擦板３２１に当接し、アウターハブ４１のフランジ部分とベース外摩擦板３２１との間の隙間をなくし、続いてベース外摩擦板３２１を右向きに移動し続けるように押動し、ベース外摩擦板３２１に第一組の摩擦板ユニット３１のうち最も左側の第一の内摩擦板３１１に当接させてベース外摩擦板３２１と第一組の摩擦板ユニット３１のうち最も左側の第一の内摩擦板３１１との間の隙間をなくすとともに、ベース外摩擦板３２１をそれぞれアウターハブ４１と第一組の摩擦板ユニット３１のうち最も左側の第一の内摩擦板３１１に締結させ、図６に示す状態に達することで、摩擦面積をさらに増大させ、トルクを伝達能力を高める。
【００４４】
ある可能な実施例では、第二の摩擦板ユニット３２は、ベース外摩擦板３２１と締結手段との間に設けられた少なくとも一対の互いに貼合可能な第二の外摩擦板及び第二の内摩擦板をさらに含み、第二の外摩擦板は、ドリブンプレート２と同期して回動可能であり、第二の内摩擦板は、ドライブプレートと同期して回動可能である。締結軸受６がアウターハブ４１に一定の圧力を印加すると、第一のスプリング７１がさらに圧縮され、アウターハブ４１が右に移動し、第一の摩擦板ユニット３１のうち最も左側の第一の内摩擦板３１１にその右側の第一の外摩擦板３１２と接触させながら右に移動させるように押動させ、最終的に第一の摩擦板ユニット３１のうち第一の内摩擦板３１１と第一の外摩擦板３１２を互いに緊密に貼合させ、第一の摩擦板ユニット３１のうち最も右側の第一の外摩擦板３１２がドライブプレート１と締結される。締結軸受６はアウターハブ４１にさらに大きな圧力を印加すると、第一のスプリング７１と第二のスプリング７２がともに圧縮され続け、アウターハブ４１は右に移動する。アウターハブ４１のフランジ部分は、第二組の摩擦板ユニット３２のうちフランジ部分に近隣する第二の外摩擦板を押圧して、第二の摩擦板ユニット３２のうち第二の外摩擦板、第二の内摩擦板およびベース外摩擦板と最も左側の第一の内摩擦板を互いに締結させて接合させる。このような設置により、第一の摩擦板ユニット３１における第一の内摩擦板３１１と第一の外摩擦板３１２が互いに接合された上で、第二の摩擦板ユニット３２における第二の内摩擦板と第二の外摩擦板が互いに接合され、大きな摩擦面積を増加させることができるため、トルクを伝達する能力を大きく向上させることができる。なお、第二のスプリング７２の設置形態はこのままで変わらないが、第二の内摩擦板及び/あるいは第二の外摩擦板には、第二のスプリング７２が通るように、穴や切り欠きを設けてもよい。
【００４５】
引き続き図２を参照して、好ましくは、締結手段４は、インナーハブ４２を含み、インナーハブ４２がスリーブ５に接続され、インナーハブ４２とアウターハブ４１との間には、突合せ構造９が設けられ、突合せ構造９がインナーハブ４２の外表面に設けられる複数のボス９１と、アウターハブ４１の内面に設けられた、ボス９１にマッチングする複数の凹溝９２と、を含む。ボス９１は、スリーブ５の軸方向に沿って第二の摩擦板ユニット３２に近い側から反対側に向かって、即ち図４に示す方位に従って、ボス９１は右から左に向かって拡張し、ボス９１のインナーハブ４２の周方向に沿った両端に斜面が形成され、対応して凹溝９２のアウターハブ４１の周方向に沿った両端に斜面が形成されている。スリーブ５が回動してインナーハブ４２を回動させるように連動させると、ボス９１の一端の斜面と凹溝９２の対応する斜面とが緊密に貼合し、斜面が嵌合する構造により、インナーハブ４２はボス９１と凹溝９２との嵌合によって斜面が接合する箇所でアウターハブ４１に対してインナーハブ４２の回転数方向に沿った接線分力とスリーブ５の軸方向に沿った摩擦板手段３に指向する軸方向分力を発生する。そのうち、接線分力によりアウターハブ４１を回動駆動し、軸方向分力と締結軸受６の締結力の共同作用で第一の摩擦板ユニット３１を締結するか、または第二の摩擦板ユニット３１と第二の摩擦板ユニット３２を共に共に締結するために用いられる。スリーブ５が逆回動すると、ボス９１と凹溝９２の他端の斜面が互いに嵌合することで駆動分力と軸方向分力を発生する。
【００４６】
このような設置により、締結軸受６は小さな締結力を印加するだけで、第一の摩擦板ユニット３１または第一の摩擦板ユニット３１と第二の摩擦板ユニット３２の組み合わせを半接合状態にし、突合せ構造９の作用でインナーハブ４２はアウターハブ４１に対してスリーブ５の軸方向に沿った摩擦板手段３に指向する軸方向分力を発生することによって、第一の摩擦板ユニット３１または第一の摩擦板ユニット３１と第二の摩擦板ユニット３２の組み合わせを完全に接合させる。このように、駆動電力の小さい駆動装置、例えば駆動モータを用いて締結軸受６を駆動し、クラッチの接合を実現することができるため、締結軸受６の受力を小さくし、使用寿命を長くすることができる。当業者に理解されているように、ボス９１だけでも、インナーハブ４２の周方向に沿って一端のみに斜面が形成され、対応して凹溝９２が、アウターハブ４１の周方向に沿った対応する一端に斜面が形成されているように設けられてもよい。このように、ドライブプレート１が一方向にのみ回動するとき、突合せ構造９の作用でインナーハブ４２は、アウターハブ４１に対してスリーブ５の軸方向に沿った摩擦板手段３に指向する軸方向分力を発生する。
【００４７】
引き続き図７を参照して、図７は本発明の一実施例に係る湿式クラッチのボス作用角度と伝達トルクとの関係図である。本発明の湿式クラッチのインナーハブ４２とアウターハブ４１との間に突合せ構造９を設けた場合、本発明の湿式クラッチの伝達可能な最大トルクは以下の式で算出することができる。
【００４８】
T=(２*μ*r*R*n/(r-２*μ*R*n*tanθ))*R*P；
【００４９】
式中、Tはクラッチの伝達可能な最大トルクであり、Pは締結軸受６の押圧力であり、μは摩擦係数であり、Rはクラッチの有効半径であり、rはボス９１の有効半径であり、θはボス作用角度であり、nは接合済みの外摩擦板の数（即ち、接合済みの第一の外摩擦板、ベース外摩擦板、第二外摩擦板の総数）である。
【００５０】
これによりわかるように、パラメータμ、R、r、n、Pが特定されている場合、湿式クラッチの伝達可能な最大トルクTは、ボス作用角度θと正の相関関係にあり、且つ、r-２*μ*R*n*tanθ=０のとき、ボス作用角度θに臨界角度が存在する。具体的には、第一の摩擦板ユニット３１のみが接合された状態で、このとき、n=４となり、伝達可能な最大トルクTとボス作用角度θとの関係は、図７における曲線１で示すように、臨界角度は３６°となり、第一の摩擦板ユニット３１と第二の摩擦板ユニット３２が共に接合された状態、すなわち、アウターハブ４１がベース外摩擦板３２１を第一の摩擦板ユニット３１に締結したとき、このとき、n=５となり、伝達可能な最大トルクTとボス作用角度θとの関係は、図７における曲線２に示すように、臨界角度は３０°である。設計段階では、ボス作用角度θを臨界角度３０°から３６°のいずれかの角度値、例えば、ボス作用角度θを３４°に設置してもよい。
【００５１】
実際の使用過程で、締結軸受６によりアウターハブ４１に印加する圧力が設定値よりも小さいとき、第一の摩擦板ユニット３１のみが接合され、このとき、湿式クラッチの伝達可能なトルクは締結軸受６の圧力が大きくなるにつれて大きくなるとともに、伝達可能な最大トルクは３００NMである。締結軸受６の圧力が設定値よりも大きいとき、第一の摩擦板ユニット３１と第二の摩擦板ユニット３２が共に接合され、このとき、第一の摩擦板ユニット３１と第二の摩擦板ユニット３２の中の摩擦板が互いに噛合しロックし、伝達可能な最大トルクが無限大となるため、湿式クラッチのトルクを伝達する能力が極大に向上した。第一の摩擦板ユニット３１のみが接合された状態に変換する必要があるとき、締結軸受６は左に移動し、アウターハブ４１がスリーブ５の軸方向に沿って受ける合力の大きさを減少させ、第一のスプリング７１と第二のスプリング７２の作用で摩擦板、アウターハブブ４１が左に移動し、ベース外摩擦板３２１への圧力を減少させることによって、第二の摩擦板ユニット３２を離脱状態にする。湿式クラッチが完全に離脱する必要があるとき、締結軸受６は左に移動し続け、締結軸受６によるアウターハブ４１への圧力を撤去し、第一のスプリング７１の作用で、第一の摩擦板ユニット３１が離脱状態に達する。
【００５２】
なお、ボス作用角度θは、実際の状況に応じて、異なるクラッチのニーズを満たすように設置してもよい。
【００５３】
このような設置により、数の異なる摩擦板が接合した場合に異なるトルク伝達能力を達成することができるとともに、締結軸受６で小さな圧力を印加するだけで第一の摩擦板ユニット３１の接合を実現したり、第一の摩擦板ユニット３１と第二の摩擦板ユニット３２の接合を同時に実現したりすることができ、モータなどの小電力の駆動装置だけで締結軸受６を移動駆動すればよい。従来の油圧駆動式クラッチに比べ、駆動装置への要求を低減し、構造を簡素化し、製造コストを低減した。
【００５４】
当業者に理解されているように、以上の実施の形態において、図面に１を付けた部品がドライブプレートで、２を付けた部品がドリブンプレートであるのは選択可能な実施の形態に過ぎず、当業者は、具体的な応用場面に適用するように、必要に応じてこれを調整してもよく、例えば、１を付けた部品が出力軸に接続されるドリブンプレートで、２を付けた部品が入力軸に接続されるドライブプレートでもよい。
【００５５】
また、本発明は、上記いずれかの湿式クラッチを含む自動車をさらに提供している。この湿式クラッチを採用すると、自動車はシフト過程で、締結軸受６を駆動する締結力が減少し、第一のスプリング７１と第二のスプリング７２の作用で、アウターハブ４１が左に移動して先に第二の摩擦板ユニット３２を離脱させ非作動状態にし、次いで第一の摩擦板ユニット３１を半接合状態にし、このときにシフトし、シフトした後で、締結軸受６は右に締結し、第一の摩擦板ユニット３１を徐々に完全係合状態にすることによって、シフト過程での動力の持続的な伝達を実現し、衝撃を低減し、自動車走行のスムーズ性と快適性を保証した。異なるトルクを伝達する必要があるとき、伝達するトルクの大きさに応じて、選択的に単独で第一の摩擦板ユニット３１によりドライブプレート１とドリブンプレート２を接合させたり、第一の摩擦板ユニット３１と第二の摩擦板ユニット３２の組み合わせによりドライブプレート１とドリブンプレート２を接合させたりすることができ、クラッチが最適な作動状態にあるのを保証し、自動車の異なる情況での要求を満たす。
【００５６】
以上の記載からわかるように、本発明の好ましい技術方案では、クラッチは、ドライブプレート、ドリブンプレート、ドライブプレートに固定接続または一体成形のスリーブ、および、ドライブプレートとドリブンプレートを接合または離脱可能にする摩擦板手段を含み、摩擦板手段は第一の摩擦板ユニット及び第二の摩擦板ユニットを含み、クラッチは締結手段をさらに含み、締結手段はスリーブの軸方向に沿って移動可能でありながら、スリーブと同期して回動するアウターハブ及びインナーハブを含み、アウターハブとインナーハブの間には突合せ構造が設けられ、突合せ構造はインナーハブの外表面に設けられた複数のボスとアウターハブの内面に設けられた、ボスにマッチングする凹溝を含み、そのうち、ボスはスリーブの軸方向に沿って第二の摩擦板ユニットに近い側から反対側に向かって拡張する。アウターハブにはスプリングユニットが設けられ、第一の摩擦板ユニットは少なくとも一対の互いに貼合可能な第一の外摩擦板及び第一の内摩擦板を含み、第一の外摩擦板はドリブンプレートと同期して回動可能であり、第一の内摩擦板はドライブプレートと同期して回動可能であり、第二の摩擦板ユニットは第一の摩擦板ユニットのうち、第二の摩擦板ユニットに近い側の第一の内摩擦板と互いに貼合可能なベース外摩擦板を１つ含み、ベース外摩擦板はドリブンプレートと同期して回動可能である。締結手段は、選択的に単独で第一の摩擦板ユニット、または第一の摩擦板ユニットと第二の摩擦板ユニットの組み合わせにより、ドライブプレートとドリブンプレートを接合または離脱可能にするように設けられている。
【００５７】
このような設置により、伝達トルクの大きさに応じて、選択的に単独で第一の摩擦板ユニットによりドライブプレートとドリブンプレートを接合させたり、第一の摩擦板ユニットと第二の摩擦板ユニットの組み合わせによりドライブプレートとドリブンプレートを接合させたりすることができ、クラッチが必要に応じて適切な数の摩擦板を選択して接合し、クラッチの摩擦ロスを低減し、使用寿命を延ばし、クラッチの総合的な性能が向上した。突合せ構造により、インナーハブとアウターハブの間でトルクを伝達すると同時に、両者の間に軸方向の作用力を発生させるため、クラッチ接合過程で駆動装置による駆動ユニットに印加する締結力を低減し、駆動装置への要求を低減することができる。
【００５８】
以上の実施の形態は、本発明の実施の形態のみを示すものであり、その記載はより具体的かつ詳細であるが、これによって本発明特許の範囲を限定するものと理解すべきではない。当業者にとっては、本発明の思想を逸脱することなく、いくつかの変形や改良が可能であり、これらの全部は本発明の保護範囲に属することに留意すべきである。したがって、本発明の保護範囲は添付の特許請求の範囲に準じなければならない。
【図１】
0006893993.tif 000002
【図２】
0006893993.tif 000003
【図３】
0006893993.tif 000004
【図４】
0006893993.tif 000005
【図５】
0006893993.tif 000006
【図６】
0006893993.tif 000007
【図７】
0006893993.tif 000008